(57)【要約】【課題】画像情報の読み取り中における画像記録媒体の搬送むらに起因する画像むらを容易に補正し、高精度な画像情報を取得することのできる画像記録媒体及びそれを用いた読取装置を提供する。【解決手段】蓄積性蛍光体パネルＰにおける画像情報記録領域９４の外であって、蓄積性蛍光体パネルＰの搬送方向（矢印Ｙ方向）と直交する方向（主走査方向）の両側部に、搬送方向に延在する直線状の補正用基準線９６ａ、９６ｂを形成し、この補正用基準線９６ａ、９６ｂを画像情報記録領域９４に記録された放射線画像情報とともに読み取り、補正用基準線９６ａ、９６ｂの直線からの位置ずれに従い、放射線画像情報の主走査方向に対する位置ずれを補正する。【選択図】図４
2009156747.tif 000002
【特許請求の範囲】
【請求項１】
画像情報記録領域に画像情報が記録され、副走査方向に搬送されるとともに、前記副走査方向と直交する主走査方向に前記画像情報が読み取られる画像記録媒体において、
前記画像情報記録領域外の補正用情報記録領域に、前記副走査方向と平行な補正用基準線が形成され、前記副走査方向に搬送される前記画像記録媒体から前記補正用基準線を読み取って得られる補正用基準線情報から、前記画像記録媒体の前記主走査方向に対する位置ずれを補正可能であることを特徴とする画像記録媒体。
【請求項２】
画像情報記録領域に画像情報が記録され、副走査方向に搬送されるとともに、前記副走査方向と直交する主走査方向に前記画像情報が読み取られる画像記録媒体において、
前記画像情報記録領域外の補正用情報記録領域に、前記副走査方向及び前記主走査方向に傾斜する補正用基準線が形成され、前記副走査方向に搬送される前記画像記録媒体から前記補正用基準線を読み取って得られる補正用基準線情報から、前記画像記録媒体の前記副走査方向及び前記主走査方向に対する位置ずれを補正可能であることを特徴とする画像記録媒体。
【請求項３】
請求項１又は２記載の画像記録媒体において、
前記画像記録媒体は、放射線画像情報を蓄積記録する蓄積性蛍光体パネルからなることを特徴とする画像記録媒体。
【請求項４】
画像情報が記録された画像記録媒体を副走査方向に搬送するとともに、前記副走査方向と直交する主走査方向に前記画像情報を読み取る読取装置において、
前記画像記録媒体の前記画像情報記録領域外の補正用情報記録領域に形成され、前記副走査方向と平行な補正用基準線を前記画像情報とともに読み取る読取部と、
前記補正用基準線を読み取って得られる補正用基準線情報から、前記画像記録媒体の前記主走査方向に対する位置ずれ量を算出する位置ずれ量算出部と、
算出された前記位置ずれ量に従い、前記画像情報の前記主走査方向に対する位置ずれを補正する画像補正部と、
を備えることを特徴とする読取装置。
【請求項５】
画像情報が記録された画像記録媒体を副走査方向に搬送するとともに、前記副走査方向と直交する主走査方向に前記画像情報を読み取る読取装置において、
前記画像記録媒体の前記画像情報記録領域外の補正用情報記録領域に形成され、前記副走査方向及び前記主走査方向に傾斜する補正用基準線を前記画像情報とともに読み取る読取部と、
前記補正用基準線を読み取って得られる前記補正用基準線情報から、前記画像記録媒体の前記副走査方向及び前記主走査方向に対する位置ずれ量を算出する位置ずれ量算出部と、
算出された前記位置ずれ量に従い、前記画像情報の前記副走査方向及び前記主走査方向に対する位置ずれを補正する画像補正部と、
を備えることを特徴とする読取装置。
【請求項６】
請求項４又は５記載の読取装置において、
前記画像記録媒体は、放射線画像情報を蓄積記録する蓄積性蛍光体パネルからなることを特徴とする読取装置。
【発明の詳細な説明】
【技術分野】
【０００１】
本発明は、画像情報記録領域に画像情報が記録され、副走査方向に搬送されるとともに、前記副走査方向と直交する主走査方向に前記画像情報が読み取られる画像記録媒体及びそれを用いた読取装置に関する。
【背景技術】
【０００２】
例えば、ある種の蛍光体に放射線（Ｘ線、α線、β線、γ線、紫外線、電子線等）を照射すると、この放射線のエネルギの一部が蛍光体に蓄積され、その後、その蛍光体に可視光等の励起光を照射すると、蓄積されたエネルギに応じた輝尽発光光が出力される。
【０００３】
このような蛍光体からなる蓄積性蛍光体パネルを利用し、撮影装置を用いて人体等の被写体の放射線画像情報を蓄積性蛍光体パネルに蓄積記録した後、読取装置を用いて、放射線画像情報が記録された蓄積性蛍光体パネルを励起光で走査し、得られる輝尽発光光を光電的に読み取って画像信号に変換し、この画像信号を処理して診断適性に優れた画像を得る放射線画像情報処理システムが開発されている。
【０００４】
この場合、放射線画像情報の読み取られた蓄積性蛍光体パネルは、蛍光体の励起光波長領域の光を含む消去光を照射し、残存する放射線画像情報を消去することにより、繰り返し使用することができる。
【０００５】
ところで、読取装置において、蓄積性蛍光体パネルを走査して放射線画像情報を読み取る際、外部から振動が加わったり、読取中の蓄積性蛍光体パネルの走査速度にむらがあったりすると、読み取られた放射線画像情報に歪みが生じてしまう。
【０００６】
一方、特許文献１に開示された従来技術では、図１３に示すように、蓄積性蛍光体パネル２の画像情報記録領域内に、蓄積性蛍光体パネル２の搬送方向である副走査方向（矢印Ａ方向）に沿って互いに平行となる複数の罫線４を形成しておき、この罫線４を画像情報とともに読み取り、罫線４を基準として、矢印Ａ方向と直交する主走査方向に対する画像情報の同期信号を得るようにしている。この場合、外乱の有無に拘わらず、主走査方向に対して歪みのない画像情報を取得することができる。
【０００７】
【特許文献１】特開昭６１−１２８２００号公報
【発明の開示】
【発明が解決しようとする課題】
【０００８】
しかしながら、特許文献１の場合、蓄積性蛍光体パネル２の画像情報記録領域内に罫線４が形成されているため、画像情報とともに罫線４を読み取った後、罫線４に係る情報を画像情報から分離する処理が必要である。なお、特許文献１では、バンドパスフィルタを用いて情報の分離処理を行っている。
【０００９】
本発明は、前記の不具合に鑑みてなされたものであって、画像情報の読み取り中における画像記録媒体の搬送むらに起因する画像むらを容易に補正し、外乱等による影響のない高精度な画像情報を取得することのできる画像記録媒体及びそれを用いた読取装置を提供することを目的とする。
【課題を解決するための手段】
【００１０】
本発明は、画像情報記録領域に画像情報が記録され、副走査方向に搬送されるとともに、前記副走査方向と直交する主走査方向に前記画像情報が読み取られる画像記録媒体において、
前記画像情報記録領域外の補正用情報記録領域に、前記副走査方向と平行な補正用基準線が形成され、前記副走査方向に搬送される前記画像記録媒体から前記補正用基準線を読み取って得られる補正用基準線情報から、前記画像記録媒体の前記主走査方向に対する位置ずれを補正可能であることを特徴とする。
【００１１】
また、本発明は、画像情報記録領域に画像情報が記録され、副走査方向に搬送されるとともに、前記副走査方向と直交する主走査方向に前記画像情報が読み取られる画像記録媒体において、
前記画像情報記録領域外の補正用情報記録領域に、前記副走査方向及び前記主走査方向に傾斜する補正用基準線が形成され、前記副走査方向に搬送される前記画像記録媒体から前記補正用基準線を読み取って得られる補正用基準線情報から、前記画像記録媒体の前記副走査方向及び前記主走査方向に対する位置ずれを補正可能であることを特徴とする。
【００１２】
また、本発明は、画像情報が記録された画像記録媒体を副走査方向に搬送するとともに、前記副走査方向と直交する主走査方向に前記画像情報を読み取る読取装置において、
前記画像記録媒体の前記画像情報記録領域外の補正用情報記録領域に形成され、前記副走査方向と平行な補正用基準線を前記画像情報とともに読み取る読取部と、
前記補正用基準線を読み取って得られる補正用基準線情報から、前記画像記録媒体の前記主走査方向に対する位置ずれ量を算出する位置ずれ量算出部と、
算出された前記位置ずれ量に従い、前記画像情報の前記主走査方向に対する位置ずれを補正する画像補正部と、
を備えることを特徴とする。
【００１３】
さらに、本発明は、画像情報が記録された画像記録媒体を副走査方向に搬送するとともに、前記副走査方向と直交する主走査方向に前記画像情報を読み取る読取装置において、
前記画像記録媒体の前記画像情報記録領域外の補正用情報記録領域に形成され、前記副走査方向及び前記主走査方向に傾斜する補正用基準線を前記画像情報とともに読み取る読取部と、
前記補正用基準線を読み取って得られる前記補正用基準線情報から、前記画像記録媒体の前記副走査方向及び前記主走査方向に対する位置ずれ量を算出する位置ずれ量算出部と、
算出された前記位置ずれ量に従い、前記画像情報の前記副走査方向及び前記主走査方向に対する位置ずれを補正する画像補正部と、
を備えることを特徴とする。
【発明の効果】
【００１４】
本発明の画像記録媒体及びそれを用いた読取装置では、画像記録媒体の画像情報記録領域外の補正用情報記録領域に形成された補正用基準線を読み取ることで、搬送むらに起因する画像記録媒体の主走査方向及び／又は副走査方向に対する位置ずれ量を求め、この位置ずれ量を用いて画像情報を容易に補正することができる。この結果、振動等の外乱等による影響のない高精度な画像情報を取得することができる。
【発明を実施するための最良の形態】
【００１５】
図１は、本発明の画像記録媒体及びそれを用いた読取装置が適用される放射線画像形成システム１０の構成を示す。放射線画像形成システム１０は、台車１２に載置された状態で病室等に搬送可能に構成される。
【００１６】
台車１２には、放射線画像情報を撮影するための撮影情報等を入力し、あるいは、外部から取得するためのディスプレイを備えたコンソール１４と、コンソール１４から供給された撮影情報に従ってＸ線源１６を制御し、被写体１８にＸ線２０を照射するＸ線源制御装置２２と、被写体１８を透過したＸ線２０が照射されることで放射線画像情報が記録される蓄積性蛍光体パネルＰ（画像記録媒体）を収納したカセッテ２４が装填され、前記蓄積性蛍光体パネルＰから放射線画像情報を読み取る読取装置２６と、蓄積性蛍光体パネルＰから読み取られた放射線画像情報を外部に送信する一方、外部から必要な情報を取得する送受信機２８と、コンソール１４、Ｘ線源１６、Ｘ線源制御装置２２、読取装置２６及び送受信機２８に対して電力を供給するバッテリ２７とが載置される。Ｘ線源１６は、アーム部材２９を介してＸ線源制御装置２２に連結される。また、バッテリ２７には、充電器３１が接続されており、必要に応じてバッテリ２７の充電を行うことができる。なお、Ｘ線源１６、Ｘ線源制御装置２２及び後述するＸ線照射スイッチ７６は、撮影装置を構成する。
【００１７】
図２は、読取装置２６の内部構成を示す。ここで、読取装置２６に装填されるカセッテ２４は、開閉自在な蓋部材３０を有するとともに、当該カセッテ２４を識別するためのＩＤ情報が記録された図示しないバーコードが装着されている。
【００１８】
読取装置２６は、ケーシング３６の上部にカセッテ装填部３８を備え、このカセッテ装填部３８には、矢印方向にスライド自在な蓋部材４０が配設される。放射線画像情報が記録された蓄積性蛍光体パネルＰを収納したカセッテ２４は、蓋部材３０を下にした状態でカセッテ装填部３８に装填される。なお、ケーシング３６は、外部からのＸ線２０の侵入を阻止すべく、鉛等の重金属を含む材料で形成される。
【００１９】
カセッテ装填部３８には、カセッテ２４に装着されているバーコードを読み取るバーコードリーダ４２と、カセッテ２４の蓋部材３０のロックを解除するロック解除機構４６と、カセッテ２４から蓄積性蛍光体パネルＰを吸着して取り出す吸着盤４８と、吸着盤４８によって取り出された蓄積性蛍光体パネルＰを挟持搬送するニップローラ５０とが配設される。
【００２０】
ニップローラ５０に連設して、複数の搬送ローラ５２ａ〜５２ｇ及び複数のガイド板５４ａ〜５４ｆが配設され、これらにより湾曲搬送路５６が構成される。搬送ローラ５２ｃ、５２ｄ間の湾曲搬送路５６は、蓄積性蛍光体パネルＰを搬送方向と直交する方向に幅寄せする幅寄せ部を構成する。湾曲搬送路５６は、カセッテ装填部３８から下方向に延在した後、最下部において略水平状態となり、次いで、略鉛直上方向に延在する。略鉛直上方向に延在する部位は、後搬送路を構成する。このように湾曲搬送路５６を湾曲して構成することにより、読取装置２６の小型化が達成される。なお、湾曲搬送路５６の所定部位には、搬送される蓄積性蛍光体パネルＰの位置を検出するセンサ５５ａ〜５５ｄが配設される。
【００２１】
ニップローラ５０と搬送ローラ５２ａとの間には、読取処理が終了した蓄積性蛍光体パネルＰに残存する放射線画像情報を消去するための消去ユニット６０が配設される。消去ユニット６０は、消去光を出力する冷陰極管からなる複数の消去光源６２を有する。
【００２２】
一方、湾曲搬送路５６の最下部に配設される搬送ローラ５２ｄ、５２ｅ間には、プラテンローラ６４が配設される。そして、プラテンローラ６４の上部には、蓄積性蛍光体パネルＰに蓄積記録された放射線画像情報を読み取る走査ユニット６６（読取部）が配設される。
【００２３】
走査ユニット６６は、励起光であるレーザビームＬＢを導出して蓄積性蛍光体パネルＰを搬送方向と直交する方向に走査する励起部６８と、レーザビームＬＢによって励起されることで放出される放射線画像情報に係る輝尽発光光を集光する集光ガイド７０と、集光ガイド７０によって集光された輝尽発光光を電気信号に変換するフォトマルチプライヤ７２とを備える。なお、集光ガイド７０の一端部には、輝尽発光光の集光効率を高めるための集光ミラー７４が近接して配設される。
【００２４】
図３は、放射線画像形成システム１０の制御ブロックを示す。Ｘ線源制御装置２２には、作業者の操作によってＸ線源１６を駆動し、Ｘ線２０を被写体１８に照射するＸ線照射スイッチ７６が接続される。
【００２５】
読取装置２６は、読取装置制御部８０を有する。読取装置制御部８０には、読取装置２６の電源スイッチ８２、カセッテ２４を読取装置２６から排出させるためのカセッテ排出ボタン８８、カセッテ２４のバーコードを読み取るバーコードリーダ４２、走査ユニット６６を制御する走査ユニット制御部８４、消去ユニット６０を制御する消去ユニット制御部８６、湾曲搬送路５６を制御して蓄積性蛍光体パネルＰを搬送するパネル搬送制御部９０、及び、蓄積性蛍光体パネルＰの搬送むらに起因する画像むらを補正するための画像補正処理部９２（位置ずれ量算出部、画像補正部）が接続される。
【００２６】
図４は、読取装置２６に供給される蓄積性蛍光体パネルＰの構成説明図である。蓄積性蛍光体パネルＰは、放射線画像情報が蓄積記録される画像情報記録領域９４を有し、この画像情報記録領域９４の両側部には、読取装置２６の搬送ローラ５２ａ〜５２ｇによる搬送方向である副走査方向（矢印Ｙ方向）と平行に、直線状の補正用基準線９６ａ、９６ｂが形成される。なお、補正用基準線９６ａ、９６ｂは、いずれか一方であってもよい。
【００２７】
この場合、補正用基準線９６ａ、９６ｂは、蓄積性蛍光体パネルＰに塗布される蛍光体層のパターンとして形成することができる。また、蓄積性蛍光体パネルＰを補正用基準線９６ａ、９６ｂのパターンに従ってエッチングすることで、励起部６８から照射されるレーザビームＬＢの反射率を他の部位と異なるように設定してもよい。さらに、レーザビームＬＢの反射率を他の部位と異なるようにするため、特定の塗料を補正用基準線９６ａ、９６ｂのパターンに従って塗布するようにしてもよい。
【００２８】
図５は、蓄積性蛍光体パネルＰの画像情報記録領域９４の両側部に形成される他の構成からなる補正用基準線９８ａ、９８ｂを示す。一方の補正用基準線９８ａは、矢印Ｙ方向に対して時計回りに略４５゜傾斜して形成され、他方の補正用基準線９８ｂは、矢印Ｙ方向に対して反時計回りに略４５゜傾斜して形成される。これらの補正用基準線９８ａ、９８ｂは、矢印Ｙ方向に沿って複数配設されており、補正用基準線９６ａ、９６ｂと同様にして蓄積性蛍光体パネルＰに形成することができる。
【００２９】
本実施形態の放射線画像形成システム１０は、基本的には以上のように構成されるものであり、次に、その動作について説明する。
【００３０】
先ず、作業者は、放射線画像形成システム１０を台車１２とともに被写体１８の場所、例えば、病室まで移動させ、放射線画像形成システム１０の電源を投入した後、撮影の準備を行う。
【００３１】
作業者は、コンソール１４を操作して、被写体１８の名前、撮影方法等の撮影情報を入力し、あるいは、送受信機２８を介して外部から撮影情報を取得するとともに、被写体１８の放射線画像情報を記録するカセッテ２４を選択し、カセッテ２４に装着されているバーコードを読み取ることで、カセッテ２４のＩＤ情報を取得する。このようにして、撮影情報及びカセッテ２４のＩＤ情報が設定され、撮影準備が完了すると、Ｘ線源制御装置２２は、読取装置２６の読取装置制御部８０に撮影準備完了信号を出力する。読取装置制御部８０は、読取装置２６にカセッテ２４が装填されておらず、あるいは、Ｘ線源１６から出力されるＸ線２０が読取装置２６内の蓄積性蛍光体パネルＰに照射されるおそれのないことを確認すると、撮影許可信号をＸ線源制御装置２２に出力する。
【００３２】
Ｘ線源制御装置２２は、撮影許可信号が入力された後、作業者によるＸ線照射スイッチ７６からショット信号が入力されると、Ｘ線源１６を駆動して放射線画像情報の撮影を行う。Ｘ線源１６から出力されたＸ線２０は、被写体１８を透過し、カセッテ２４に収納された蓄積性蛍光体パネルＰに照射されて放射線画像情報が蓄積記録される。撮影が終了すると、Ｘ線源制御装置２２は、撮影終了信号を読取装置制御部８０に出力する。
【００３３】
次に、放射線画像情報が蓄積記録された蓄積性蛍光体パネルＰを収納したカセッテ２４を読取装置２６に装填し、読取処理を行う場合につき、図６のフローチャートに従って説明する。
【００３４】
カセッテ２４がカセッテ装填部３８に装填されると（ステップＳ１）、バーコードリーダ４２がカセッテ２４に装着されているバーコードを読み取ってカセッテ２４のＩＤ情報を取得した後、ロック解除機構４６により蓋部材３０のロックが解除されて開蓋される。次いで、吸着盤４８によってカセッテ２４内の蓄積性蛍光体パネルＰが吸着されて取り出され、ニップローラ５０により湾曲搬送路５６に供給される（ステップＳ２）。湾曲搬送路５６を構成する搬送ローラ５２ａ〜５２ｇは、蓄積性蛍光体パネルＰを搬送する。
【００３５】
蓄積性蛍光体パネルＰが搬送ローラ５２ｄ、５２ｅ間を副走査搬送されるとともに（ステップＳ３）、励起部６８からのレーザビームＬＢが蓄積性蛍光体パネルＰを主走査することにより（ステップＳ４）、蓄積性蛍光体パネルＰに記録された放射線画像情報、及び、蓄積性蛍光体パネルＰに形成された補正用基準線９６ａ、９６ｂ（図４）又は補正用基準線９８ａ、９８ｂ（図５）に係る補正用基準線情報の読み取りが行われる。すなわち、励起部６８から出力されたレーザビームＬＢが蓄積性蛍光体パネルＰに照射されると、蓄積性蛍光体パネルＰから放射線画像情報及び補正用基準線情報に対応した輝尽発光光が出力される。この輝尽発光光は、集光ガイド７０を介してフォトマルチプライヤ７２に導かれ、電気信号としての放射線画像情報及び補正用基準線情報に変換される。
【００３６】
蓄積性蛍光体パネルＰに記録された放射線画像情報及び補正用基準線情報の読み取りが終了した後（ステップＳ５）、補正用基準線情報に基づく画像補正処理が行われる（ステップＳ６）。
【００３７】
図４に示す構成からなる蓄積性蛍光体パネルＰの場合、図７に示すフローチャートに従って補正処理が行われる。すなわち、画像補正処理部９２は、蓄積性蛍光体パネルＰから読み取った放射線画像情報及び補正用基準線情報から、補正用基準線情報を切り出す（ステップＳＡ１）。この場合、補正用基準線９６ａ、９６ｂは、画像情報記録領域９４から分離された部位に形成されているため、容易に切り出すことができる。
【００３８】
蓄積性蛍光体パネルＰが搬送方向である矢印Ｙ方向と直交する方向（主走査方向）に蛇行しながら搬送され、あるいは、読取中の外乱等の影響により主走査方向に蓄積性蛍光体パネルＰの位置が変動すると、図８に示すように、補正用基準線９６ａ、９６ｂも、蓄積性蛍光体パネルＰとともに蛇行した状態で読み取られることになる。また、画像情報記録領域９４も補正用基準線９６ａ、９６ｂに従って変形する。
【００３９】
そこで、補正用基準線９６ａ、９６ｂの副走査位置ｙを指定し（ステップＳＡ２）、その副走査位置ｙにおいて、蓄積性蛍光体パネルＰが蛇行していないとした場合の補正用基準線９６ａ、９６ｂの主走査位置ｘ１、ｘ２に対する位置ずれ量Δｘ１、Δｘ２の平均値である位置ずれ量平均値Δｘを算出する（ステップＳＡ３）。次いで、位置ずれ量平均値Δｘを用いて、副走査位置ｙにおける放射線画像情報の主走査方向（矢印Ｘ方向）に対する位置を補正する（ステップＳＡ４）。同様にして、ステップＳＡ２〜ＳＡ４の処理を放射線画像情報の全ての副走査位置ｙに対して行う（ステップＳＡ５）。この結果、蓄積性蛍光体パネルＰの主走査方向に対する変動の影響が補正された高精度な放射線画像情報を得ることができる。
【００４０】
次に、図５に示す構成からなる蓄積性蛍光体パネルＰに対する補正処理について、図９に示すフローチャートに従って説明する。この場合、蓄積性蛍光体パネルＰの搬送速度が副走査方向（矢印Ｙ方向）に変動し、且つ、外乱等の影響により主走査方向（矢印Ｘ方向）に変動していると、図１０に示すように、傾斜した直線状の補正用基準線９８ａ、９８ｂは、矢印Ｙ方向及び矢印Ｘ方向の双方に位置がずれ、歪んだ形状となる。
【００４１】
画像補正処理部９２は、補正用基準線情報を切り出した後（ステップＳＢ１）、補正用基準線９８ａ、９８ｂの副走査位置ｙを指定し（ステップＳＢ２）、蓄積性蛍光体パネルＰが変動していないとした場合の主走査位置ｘ１、ｘ２及び副走査位置ｙにおける補正用基準線９８ａ、９８ｂの位置に対する主走査方向の位置ずれ量Δｘ１、Δｘ２を算出する（ステップＳＢ３、図１１、図１２）。同様にして、蓄積性蛍光体パネルＰが変動していないとした場合の主走査位置ｘ１、ｘ２及び副走査位置ｙにおける補正用基準線９８ａ、９８ｂの位置に対する副走査方向の位置ずれ量Δｙ１、Δｙ２を算出する（ステップＳＢ４、図１１、図１２）。
【００４２】
次いで、画像補正処理部９２は、位置ずれ量Δｘ１、Δｘ２及びΔｙ１、Δｙ２を用いて、主走査方向及び副走査方向に対する放射線画像情報の位置を補正する（ステップＳＢ５）。ここで、例えば、補正用基準線９８ａ、９８ｂの一方の傾斜方向と同じ方向に蓄積性蛍光体パネルＰが変動していると、位置ずれ量Δｘ１、Δｘ２及びΔｙ１、Δｙ２の一方の値が０になってしまう。この場合、値が０とならない一方の位置ずれ量Δｘ１、Δｘ２及びΔｙ１、Δｙ２を用いて、主走査方向及び副走査方向に対する放射線画像情報の位置を補正すればよい。
【００４３】
同様にして、ステップＳＢ２〜ＳＢ５の処理を放射線画像情報の全ての副走査位置ｙに対して行う（ステップＳＢ６）。この結果、蓄積性蛍光体パネルＰの副走査方向に対する搬送速度のむらと、主走査方向に対する蛇行の影響との双方が補正された高精度な放射線画像情報を得ることができる。
【００４４】
図６のフローチャートに戻り、放射線画像情報の読み取られた蓄積性蛍光体パネルＰは、一旦ガイド板５４ｆ側まで搬送された後、再び走査ユニット６６の下部を介してカセッテ装填部３８側に戻される。カセッテ装填部３８側に戻された蓄積性蛍光体パネルＰは、ニップローラ５０、搬送ローラ５２ａ間に配設されている消去ユニット６０を構成する消去光源６２から出力される消去光により、蓄積性蛍光体パネルＰに残存する放射線画像情報が除去される（ステップＳ７）。
【００４５】
残存する放射線画像情報の消去処理が終了した蓄積性蛍光体パネルＰは、ニップローラ５０及び吸着盤４８を用いてカセッテ２４に収納されて蓋部材３０が閉蓋された後（ステップＳ８）、カセッテ排出ボタン８８が操作されることでカセッテ装填部３８から取り出され（ステップＳ９）、次の撮影に使用される。
【００４６】
なお、本発明は、上述した実施形態に限定されるものではなく、本発明の主旨を逸脱しない範囲で自由に変更できることは勿論である。例えば、蓄積性蛍光体パネルＰに代えて、半導体素子を利用した他の形態からなる放射線変換パネルを読取装置２６に適用することもできる。
【図面の簡単な説明】
【００４７】
【図１】本実施形態の放射線画像形成システムの構成図である。
【図２】読取装置の内部構成図である。
【図３】放射線画像形成システムの制御ブロック図である。
【図４】補正用基準線が形成された蓄積性蛍光体パネルの構成説明図である。
【図５】補正用基準線が形成された他の実施形態である蓄積性蛍光体パネルの構成説明図である。
【図６】読取装置による読取処理のフローチャートである。
【図７】図４の構成からなる蓄積性蛍光体パネルから読み取った補正用基準線に基づく画像補正処理のフローチャートである。
【図８】図４の構成からなる蓄積性蛍光体パネルから読み取った補正用基準線による位置ずれの説明図である。
【図９】図５の構成からなる蓄積性蛍光体パネルから読み取った補正用基準線に基づく画像補正処理のフローチャートである。
【図１０】図５の構成からなる蓄積性蛍光体パネルから読み取った補正用基準線による位置ずれの説明図である。
【図１１】図１０に示す補正用基準線の１つの拡大説明図である。
【図１２】図１０に示す補正用基準線の１つの拡大説明図である。
【図１３】従来技術に係る画像記録媒体の構成説明図である。
【符号の説明】
【００４８】
１０…放射線画像形成システム
１２…台車
１６…Ｘ線源
２２…Ｘ線源制御装置
２４…カセッテ
２６…読取装置
３８…カセッテ装填部
５２ａ〜５２ｇ…搬送ローラ
６０…消去ユニット
６６…走査ユニット
６８…励起部
８０…読取装置制御部
８４…走査ユニット制御部
８６…消去ユニット制御部
９０…パネル搬送制御部
９２…画像補正処理部
９４…画像情報記録領域
９６ａ、９６ｂ、９８ａ、９８ｂ…補正用基準線
Ｐ…蓄積性蛍光体パネル
【図１】
2009156747.tif 000003
【図２】
2009156747.tif 000004
【図３】
2009156747.tif 000005
【図４】
2009156747.tif 000006
【図５】
2009156747.tif 000007
【図６】
2009156747.tif 000008
【図７】
2009156747.tif 000009
【図８】
2009156747.tif 000010
【図９】
2009156747.tif 000011
【図１０】
2009156747.tif 000012
【図１１】
2009156747.tif 000013
【図１２】
2009156747.tif 000014
【図１３】
2009156747.tif 000015